(57)【特許請求の範囲】
【請求項１】
基体と画像が形成された薄膜部材とを圧着して基体に画像を転写する転写部と、
前記転写部において基体と薄膜部材とが積層された積層体の基体から薄膜部材を剥離する剥離部と、
を有し、
前記積層体は、薄膜部材の少なくとも一部が基体の端部から突出した突出部分を備え、
前記剥離部は、回転して積層体を搬送する複数の回転部材、を有し、前記回転部材に突出部分を突き当てるようにして基体から薄膜部材を剥離する記録体作成装置。
【請求項２】
前記剥離部は、突出部分が前記回転部材に突き当たることにより形成される空隙を前記積層体の一端から他端まで移動させるようにして基体から薄膜部材を剥離する請求項１記載の記録体作成装置。
【請求項３】
前記回転部材は、基体と該基体から剥離した薄膜部材とを分離して搬送する請求項１又は２記載の記録体作成装置。
【請求項４】
突出部分の一部に押し当たりながら、該突出部分の長手方向一端から他端に向かって移動する押当部、
をさらに有する請求項１乃至３いずれかに記載の記録体作成装置。
【請求項５】
前記押当部は、前記積層体の搬送方向に直交する方向に対して傾斜する方向に移動する請求項４記載の記録体作成装置。
【請求項６】
基体に情報を書き込む情報書き込み部と、
前記情報書き込み部が書き込んだ情報について判定する情報判定部と、
をさらに有し、
前記情報書き込み部は、前記転写部により積層体が形成される前に、基体に情報を書き込み、
前記情報判定部は、前記転写部により積層体が形成される前に、前記情報書き込み部が書き込んだ情報について判定する請求項１乃至５いずれかに記載の記録体作成装置。
【発明の詳細な説明】
【技術分野】
【０００１】
本発明は、記録体作成装置に関する。
【背景技術】
【０００２】
特許文献１には、フィルムの少なくとも片面に電子写真方式により定着画像を形成する画像形成部と、ICメモリ入りコアシートとフィルムとを積層した積層体を位置決めする位置決め部と、位置決めされた積層体を加圧することにより、ICメモリ入りコアシートをフィルムでラミネートするラミネート部と、ICメモリに情報の書き込みを行う通信部と、を備えるICメモリ入りプラスチックシートの作成装置を開示する。
【先行技術文献】
【特許文献】
【０００３】
【特許文献１】特開２００５−３５１２４号公報
【発明の概要】
【発明が解決しようとする課題】
【０００４】
本発明は、基体に転写された画像への影響を抑制して積層体から薄膜部材を剥離することができる記録体作成装置を提供することを目的とする。
【課題を解決するための手段】
【０００５】
請求項１に係る本発明は、基体と画像が形成された薄膜部材とを圧着して基体に画像を転写する転写部と、前記転写部において基体と薄膜部材とが積層された積層体の基体から薄膜部材を剥離する剥離部と、を有し、前記積層体は、薄膜部材の少なくとも一部が基体の端部から突出した突出部分を備え、前記剥離部は、回転して積層体を搬送する複数の回転部材、を有し、前記回転部材に突出部分を突き当てるようにして基体から薄膜部材を剥離する記録体作成装置である。
【０００６】
請求項２に係る本発明は、前記剥離部は、突出部分が前記回転部材に突き当たることにより形成される空隙を前記積層体の一端から他端まで移動させるようにして基体から薄膜部材を剥離する請求項１記載の記録体作成装置である。
【０００７】
請求項３に係る本発明は、前記回転部材は、基体と該基体から剥離した薄膜部材とを分離して搬送する請求項１又は２記載の記録体作成装置である。
【０００８】
請求項４に係る本発明は、突出部分の一部に押し当たりながら、該突出部分の長手方向一端から他端に向かって移動する押当部、をさらに有する請求項１乃至３いずれかに記載の記録体作成装置である。
【０００９】
請求項５に係る本発明は、前記押当部は、前記積層体の搬送方向に直交する方向に対して傾斜する方向に移動する請求項４記載の記録体作成装置である。
【００１０】
請求項６に係る本発明は、基体に情報を書き込む情報書き込み部と、前記情報書き込み部が書き込んだ情報について判定する情報判定部と、をさらに有し、前記情報書き込み部は、前記転写部により積層体が形成される前に、基体に情報を書き込み、前記情報判定部は、前記転写部により積層体が形成される前に、前記情報書き込み部が書き込んだ情報について判定する請求項１乃至５いずれかに記載の記録体作成装置である。
【発明の効果】
【００１４】
請求項１に係る本発明によれば、基体に転写された画像への影響を抑制して積層体から薄膜部材を剥離し、かつ、本構成を有していない場合と比較して、構成を簡略化することができる。
【００１５】
請求項２に係る本発明によれば、請求項１に係る発明の効果に加えて、より効果的に、基体に転写された画像への影響を抑制して積層体から薄膜部材を剥離することができる。
【００１６】
請求項３に係る本発明によれば、請求項１又は２に係る発明の効果に加えて、本構成を有さない場合と比較して、画像記録体を簡易に仕分けることができる。
【００１７】
請求項４に係る本発明によれば、請求項１乃至３いずれかに係る発明の効果に加えて、本構成を有さない場合と比較して、容易に積層体から薄膜部材を剥離することができる。
【００１８】
請求項５に係る本発明によれば、請求項４の発明の効果に加えて、積層体を搬送しながら押当部が積層体に押当たることができる。
【００１９】
請求項６に係る本発明によれば、請求項１乃至５いずれかに係る発明の効果に加えて、本構成を有さない場合と比較して、情報記憶体に書き込まれる情報について欠陥がある場合に、その要因を判断し易くすることができる。
【図面の簡単な説明】
【００２３】
【図１】本発明の一実施形態が適用される情報記憶体作成装置の概略図である。
【図２】本発明の一実施形態が適用される剥離装置の概略図である。
【図３】本発明の一実施形態が適用される回転部材による剥離動作を説明する説明図である。
【図４】本発明の一実施形態が適用される押当部が薄膜部材の突出部分へ押当たる動作を説明する説明図である。
【図５】本発明の一実施形態が適用される剥離装置における剥離動作の模式図である。
【発明を実施するための形態】
【００２４】
本発明の実施形態について図面を参照して説明する。
図１は、本発明の一実施形態としての情報記憶体作成装置１０の概略図を示す。
情報記憶体作成装置１０は、画像が記録され情報が記憶された、例えばICカード等の記録体を作成する。
【００２５】
記録体作成装置１０は、画像形成装置１２と、丁合装置１４と、情報書き込み装置１６と、圧着転写装置１８と、剥離装置２０とを備える。
【００２６】
画像形成装置１２は、画像形成部２２と、薄膜部材供給部２４と、搬送路２６とにより構成される。
【００２７】
画像形成部２２は、例えば４個の像形成ユニット３０Ｙ、３０Ｍ、３０Ｃ、３０Ｋと、転写装置３２とにより構成される。像形成ユニット３０Ｙ、３０Ｍ、３０Ｃ、３０ＫはそれぞれＹ（イエロー）、Ｍ（マゼンタ）、Ｃ（シアン）、Ｋ（黒）のトナーを用いて現像剤像を形成する。
像形成ユニット３０Ｙ、３０Ｍ、３０Ｃ、３０Ｋは、対応する色が異なっているものの同様の構成となっている。以下、各色に対応するＹ、Ｍ、Ｃ、Ｋを省略して「像形成ユニット３０」のように総称して説明する場合がある。
各色に対応する他の構成（感光体ドラム３４、帯電装置３６等）についても同様とする。
【００２８】
像形成ユニット３０はそれぞれ、像保持体として用いられる感光体ドラム３４と、この感光体ドラム３４を帯電する帯電装置３６と、この帯電装置３６に潜像を形成する潜像形成装置３８と、この潜像形成装置３８によって感光体ドラム３４の表面に形成された静電潜像をトナーを用いて現像してトナー像を形成する現像装置４０と、感光体ドラム３４の表面を清掃する清掃装置４２とを有する。
現像装置４０にはそれぞれ、対応する色のトナーが供給される。
【００２９】
転写装置３２は、転写体として用いられるベルト状の中間転写体５２と、一次転写装置として用いられる一次転写ロール５４Ｙ、５４Ｍ、５４Ｃ、５４Ｋと、二次転写装置として用いられる二次転写ロール５６と、中間転写体５２の表面を清掃する清掃装置５８とを有する。
【００３０】
中間転写体５２には、感光体ドラム３４それぞれに形成されたトナー像が重ねられるようにして転写される。
中間転写体５２は、支持部材として用いられる例えば四つの支持ロール６０ａ、６０ｂ、６０ｃ、６０ｄによって回転自在に支持されている。本実施形態においては、支持ロール６０ａはモータ等の駆動部（非図示）に接続されており、この支持ロール６０ａが駆動回転することで中間転写体５２が回転するように構成されている。
支持ロール６０ｄは、二次転写ロール５６のバックアップロールとして機能する。
【００３１】
一次転写ロール５４Ｙ、５４Ｍ、５４Ｃ、５４Ｋはそれぞれ、感光体ドラム３４Ｙ、３４Ｍ、３４Ｃ、３４Ｋに形成された各色に対応するトナー像を、中間転写体５２に転写する。
【００３２】
二次転写ロール５６は、中間転写体５２に転写された各色のトナー像を、薄膜部材供給部２４から供給される薄膜部材２に転写する。
【００３３】
薄膜部材２は、少なくとも片面に画像を形成する画像形成層を有し、この画像形成層は離型する特性（離型特性）を備えている。このため、薄膜部材２は、後述する基体４に圧着されることによりこの薄膜部材２に形成された画像を基体４に転写するようになっている。また、基体４に圧着された薄膜部材２自体は、外部から力及び熱を加えることにより、この基体４から剥離されるようになっている。
薄膜部材２としては、例えば比較的硬く（コシがあり）光透過性を有するもの（変性ポリエチレンテレフタレート樹脂フィルム等）が用いられる。
【００３４】
薄膜部材供給部２４は、例えば薄膜部材２を積層した状態で収納する薄膜部材収納容器７２と、この薄膜部材収納容器７２に収納された最上位の薄膜部材２を抽出する抽出ロール７４と、この抽出ロール７４で抽出された薄膜部材２を画像形成部２２に向けて搬送する搬送ロール７６と、この搬送ロール７６に接触し搬送ロール７６との間で薄膜部材２を分離する分離ロール７８とを有する。
【００３５】
搬送路２６は、主搬送路８０と、反転搬送路８２とにより構成される。
【００３６】
主搬送路８０は、薄膜部材供給部２４から供給された薄膜部材２を丁合装置１４に向けて搬送する搬送路である。
主搬送路８０には、薄膜部材２の搬送方向上流側から順に、レジストロール８４と、二次転写ロール５６と、ベルト状の搬送部８６と、定着装置８８と、反転切替部９０と、排出ロール９２とが配置されている。
【００３７】
レジストロール８４は、停止した状態から所定のタイミングで回転を開始し、中間転写体５２にトナー像が転写されるタイミングに合致するように、薄膜部材２を中間転写体５２と二次転写ロール５６との接触部に供給する。
【００３８】
定着装置８８は、転写装置３２によりトナー像が転写された薄膜部材２にこのトナー像を定着させる。
【００３９】
反転切替部９０は、薄膜部材２を反転させて（画像が形成された側の面を下側にして）丁合装置１４へ搬送する場合に、この薄膜部材２を反転搬送路８２へ搬送するように、搬送方向を切り替える。
【００４０】
排出ロール９２は、定着装置８８によってトナー像が定着された薄膜部材２を丁合装置１４に向けて排出する。
【００４１】
反転搬送路８２は、一方の面に画像が形成された薄膜部材２を反転させる搬送路である。反転搬送路８２には、例えば２つの反転搬送ロール９４ａ、９４ｂが配置されている。反転搬送ロール９４ａ、９４ｂは、薄膜部材２を反転搬送路８２に搬送し、その後、この反転搬送路８２に搬送したときとは反対方向に回転し、薄膜部材２の画像が形成された側の面を下側となるようにして排出ロール９２へ搬送する。
【００４２】
丁合装置１４は、基体供給部１００と、搬送路１０２と、丁合部１０４とにより構成される。
【００４３】
基体供給部１００は、例えば基体４を積層した状態で収納する基体収納容器１１０と、この基体収納容器１１０に収納された最上位の基体４を抽出する抽出ロール１１２と、この抽出ロール１１２で抽出された基体４を丁合部１０４に向けて搬送する搬送ロール１１４と、この搬送ロール１１４に接触し搬送ロール１１４との間で基体４を分離する分離ロール１１６とを有する。
【００４４】
基体４は、例えばICメモリを複数内蔵するプラスチックシートであり、情報が書き込み自在なように構成されている。本実施形態において基体４は、搬送方向に対する長さが薄膜部材２よりも小さく、搬送方向に水平方向で直交する方向（以下、「幅方向」と称する場合がある）に対する長さが略同一のものが用いられる。
【００４５】
搬送路１０２は、画像形成装置１２から搬送される薄膜部材２を丁合部１０４に向けて搬送する搬送路である。搬送路１０２には、薄膜部材２の搬送方向上流側から順に、例えば２つの搬送ロール１１８ａ、１１８ｂが配置されている。
【００４６】
丁合部１０４は、位置決め部１２０と、仮留部１２２とにより構成される。
【００４７】
位置決め部１２０は、薄膜部材２及び基体４が載置される載置部１２４を備え、この載置部１２４には、例えば三つの当接部材１２６ａ、１２６ｂ、１２６ｃが設けられている。
【００４８】
載置部１２４は、水平方向に対して搬送方向上流側が搬送方向下流側よりも重力方向下方となるように傾斜して配置されている。
基体４の両面に画像を転写する場合、載置部１２４には、まず、画像が形成された側の面を上側にして薄膜部材２が載置され、この上に基体４が載置される。そして、この基体４の上に、画像が形成された側の面を下側にして薄膜部材２が載置される。
【００４９】
当接部材１２６ａは、載置部１２４の搬送方向上流側に設けられており、搬送方向に対して載置部１２４に沿って移動自在に構成されている。
薄膜部材２及び基体４は載置部１２４に載置されると、この載置部１２４の傾斜に従って搬送方向上流側に移動し、それぞれの搬送方向後端部分（以下、単に「後端」と称する場合がある）が当接部材１２６ａと接触する。
【００５０】
当接部材１２６ｂは、載置部１２４の幅方向両側に設けられている。当接部材１２６ｂは、幅方向に移動自在に構成されている。
当接部材１２６ｂは、載置部１２４に載置された薄膜部材２及び基体４の幅方向両端部を挟むことで、幅方向に対する位置を揃える。
【００５１】
当接部材１２６ｃは、載置部１２４の搬送方向下流側に設けられている。当接部材１２６ｃは、載置部１２４の上面から突出した位置と、この上面から突出しない位置（退避位置）とを移動自在に構成されている。
当接部材１２６ｃは、薄膜部材２及び基体４が載置部１２４から情報書き込み装置１６へ向けて搬送される際、退避位置に移動する。
【００５２】
薄膜部材２及び基体４の後端と接触した当接部材１２６ａが搬送方向下流側に向かって移動することで、これら薄膜部材２及び基体４が当接部材１２６ｃ側へ搬送される。そして、薄膜部材２及び基体４の搬送方向先端部分（以下、単に「先端」と称する場合がある）が載置部１２４の上面から突出した位置にある当接部材１２６ｃと接触する。
これにより、薄膜部材２及び基体４の搬送方向に対する位置が揃えられる。
【００５３】
このようにして、載置部１２４に載置された薄膜部材２及び基体４これらが位置決めされるようになっている。
本実施形態においては、搬送方向に対する長さは薄膜部材２の方が基体４よりも長くなるようになっているため、薄膜部材２が基体４の先端から突出した突出部分２ａ（図３参照）を形成するようにして位置決めされる。
【００５４】
仮留部１２２は、例えば、ヒータ等により加熱される一対の金属片を備える。仮留部１２２は、位置決め部１２０により位置決めされた薄膜部材２及び基体４を金属片で挟むことで、これらを熱溶着して仮留する。仮留部１２２は、例えば、薄膜部材２及び基体４の端部近傍部分を二か所、熱溶着するようになっている。
【００５５】
仮留部１２２により仮留した後、当接部材１２６ｃを退避位置に移動して当接部材１２６ａを搬送方向下流側に移動することで、仮留された薄膜部材２及び基体４が情報書き込み装置１６に搬送される。
【００５６】
このように、位置決め部１２０は、薄膜部材２に形成された画像を基体４に接触するようにして仮留し、これを情報書き込み装置１６へ搬送する構成となっている。
【００５７】
情報書き込み装置１６は、搬送部として用いられる搬送ベルト１３０と、識別情報読取部１３２と、情報書き込み部１３４と、情報判定部１３６とにより構成される。
【００５８】
搬送ベルト１３０は、位置決め部１２０から搬送された薄膜部材２及び基体４を、情報書き込み部１３４による情報書き込み位置及び情報判定部１３６による情報判定位置を経由して、圧着転写装置１８へ搬送する。
【００５９】
識別情報読取部１３２は、基体４（及び薄膜部材２）が情報書き込み部１３４による情報書き込み位置に搬送される前に、基体４の識別情報を読取るように設けられている。
識別情報読取部１３２は、基体４から読取った識別情報を情報書き込み部１３４へ通知する。
【００６０】
本実施形態において識別情報読取部１３２は、載置部１２４に載置されている状態で基体４の識別情報を読取るように構成されている。識別情報読取部１３２は、例えば、基体４に表示されているバーコード等の一次元コードやＱＲコード（登録商標）等の二次元コードから識別情報を読取るようになっている。
【００６１】
情報書き込み部１３４は、情報書き込み位置に搬送された基体４に対し、識別情報読取部１３２から通知される識別情報に対応づけて情報を書き込むように構成されている。
【００６２】
情報判定部１３６は、情報書き込み部１３４により情報が書き込まれた基体４の情報について判定する。具体的には、情報判定部１３６は、基体４から識別情報に対応した情報が正しく読み取れるか否か、あるいは情報が正しく書き込まれているか否か等を判定する。
【００６３】
このように、情報判定部１３６は、基体４に熱や圧力等の外力が加わる前に、この基体４に書き込まれた情報について判定するようになっている。このため、本構成を有さない場合と比較して、識別情報に対応した情報が正しく読み取れないときに、その要因を判断し易くなる。
例えば、基体４が圧着転写装置１８を通過した後、この基体４から識別情報に対応した情報が読み取れないと判定された場合、その要因が情報書き込み時におけるものであるのか、あるいは、圧着転写装置１８により圧着されたことによるものであるのかの判断が困難となる。
【００６４】
圧着転写装置１８は積層体形成部として用いられ、基体４に薄膜部材２を圧着する。
圧着転写装置１８は、一対のベルト部１４０を備える。ベルト部１４０それぞれは支持ロール１４２及び駆動ロール１４４によって張架されており、この駆動ロール１４４が回転駆動することで、ベルト部１４０が回転するように構成されている。
ベルト部１４０の内側には、圧着部１４６と、冷却部１４８とが設けられている。
【００６５】
ベルト部１４０それぞれは、薄膜部材２及び基体４を挟み込むようにして、これらを圧着部１４６及び冷却部１４８を経由して、剥離装置２０へ搬送する。
支持ロール１４２は、ベルト部１４０を予備加熱する加熱ロールとして構成するようにしてもよい。
【００６６】
圧着部１４６は、情報書き込み装置１６の搬送ベルト１３０からベルト部１４０の間に挟まれるように搬送された薄膜部材２及び基体４を加熱、加圧する。これにより、薄膜部材２に形成された画像が基体４に転写されるとともに、これらの薄膜部材２と基体４とが圧着され積層体が形成される。
ここで、積層体において薄膜部材２と基体４とは、加熱、加圧により圧着されたことで相互に離れない状態となっており、これらは一度剥離されれば、再び接触しても相互に離れない状態にはならない（接着しない）。
冷却部１４８は、圧着部１４６により形成された積層体を冷却する。
【００６７】
剥離装置２０は、剥離搬送路１６０と、排出切替部１６２と、基体排出部１６４と、薄膜部材排出部１６６とにより構成される。
【００６８】
剥離搬送路１６０には、回転部１７０と押当部１７２とが設けられている。
【００６９】
回転部１７０は複数の回転部材により構成される。本実施形態において回転部１７０は、剥離搬送路１６０の搬送方向上流側（圧着転写装置１８側）から順に配置された第一の回転部材１８２、第二の回転部材１８４、第三の回転部材１８６、及び第四の回転部材１８８により構成される。
第三の回転部材１８６には、ニップ解除部材１９１が取り付けられており、ニップが解除できるよう構成されている。ニップ解除部材１９１は、例えばソレノイド等で構成される。
【００７０】
押当部１７２は、第一の回転部材１８２と第二の回転部材１８４との間に設けられている。押当部１７２は押当部材１７２ａを備え、この押当部材１７２ａは、搬送方向及び水平方向と直交する方向を軸として外力に従って回転するよう（回転自在）に構成されている（図４参照）。
押当部１７２は、押当部材１７２ａを突出部分２ａに押当てながら幅方向に移動するように構成されている。
【００７１】
回転部１７０、押当部１７２及びニップ解除部材１９１の動作は、駆動制御部１９０によって制御されるように構成されている。
【００７２】
排出切替部１６２は、第四の回転部材１８８よりも搬送方向下流側において、基体排出部１６４方向及び薄膜部材排出部１６６方向のいずれかに搬送方向を切り替える。
同様に、排出切替部１６２の動作は、駆動制御部１９０によって制御されるように構成されている。
【００７３】
このように、剥離搬送路１６０は、圧着転写装置１８から搬送された積層体を回転部１７０及び押当部１７２を経由させ、剥離された薄膜部材２を薄膜部材排出部１６６に搬送し、画像が記録（形成）され情報が記憶された基体４（記録体）を基体排出部１６４に搬送するようになっている。
【００７４】
次に、剥離装置２０の詳細について説明する。
図２（ａ）は、剥離装置２０の側面からの概略図であり、図２（ｂ）は、剥離装置２０の上面からの概略図である。
【００７５】
図２（ｂ）に示すように、押当部１７２は、積層体の幅方向に対してこの積層体の搬送を妨害しない位置Ａ（初期位置）から、幅方向に対して位置Ａと反対側であり積層体の搬送を妨害しない位置Ｂへ移動するように構成されている。位置Ｂは、位置Ａよりも搬送方向下流側となっており、押当部１７２は、幅方向に対して搬送方向下流側へ傾斜する方向に移動するようになっている。
このため、積層体の搬送を妨害することなく（搬送を停止することなく）、押当部１７２が積層体の突出部分２ａに押当たるようになっている。
【００７６】
また、回転部１７０の第二の回転部材１８４の円筒形状部分１８４ａは、薄膜部材２及び基体４（積層体）の幅方向の長さよりも大きく形成されている。このため、積層体は、幅方向全体が略同時に第二の回転部材１８４（円筒形状部分１８４ａ）と接触するようになっている。
【００７７】
次に、回転部１７０による薄膜部材２の剥離動作について説明する。
図３は、回転部１７０の第二の回転部材１８４による剥離動作を説明する説明図である。なお、図３においては、基体４の片側上面にのみ薄膜部材２が圧着されている場合を例に説明する。
【００７８】
図３（ａ）に示すように、突出部分２ａを備えるようにして形成された積層体が停止している第二の回転部材１８４に向かって搬送される。
【００７９】
図３（ｂ）に示すように、積層体が搬送され突出部分２ａの先端が第二の回転部材１８４に突き当たると、薄膜部材２が押曲げられ（ループ形状を形成）この薄膜部材２と基体４との間に空隙Ｓが形成される。
【００８０】
図３（ｃ）、（ｄ）に示すように、第二の回転部材１８４が回転し、積層体が搬送方向下流側に搬送されるのに従って、空隙Ｓが積層体に対して後端に移動される。
【００８１】
図３（ｅ）に示すように、積層体の後端が第二の回転部材１８４を通過すると、空隙Ｓはこの積層体の先端から後端まで移動することとなる。
これにより、積層体から薄膜部材２が剥離された状態となる。
【００８２】
このように、剥離装置２０は、積層体の突出部分２ａを利用して、積層体の基体４から薄膜部材２を剥離するようになっている。
【００８３】
次に、押当部１７２が突出部分２ａへ押当たる動作について説明する。
図４は、押当部１７２が薄膜部材２の突出部分２ａへ押当たる動作を説明する説明図を示す。なお、図４においては、基体４の片側上面にのみ薄膜部材２が圧着されている場合を例に説明する。
【００８４】
図４（ａ）に示すように、押当部１７２は、積層体が搬送されるとこの積層体の搬送に合わせて幅方向に対して搬送方向下流側に傾斜する方向（位置Ｂ（図２参照））に移動を開始する。
【００８５】
図４（ｂ）に示すように、押当部１７２は、積層体の搬送経路上に進入すると突出部分２ａの幅方向一端側の一部に押当たる。これにより、薄膜部材２の先端が歪み、基体４の先端近傍においてこの基体４と薄膜部材２との間に隙間が生じる。
【００８６】
図４（ｃ）、（ｄ）に示すように、押当部１７２は、突出部分２ａの一部に押当たり回転しながら、この突出部分２ａの幅方向他端側へ移動する。これにより、基体４の先端近傍に隙間が生じている範囲が幅方向に対して広がっていく。
【００８７】
図４（ｅ）に示すように、押当部１７２は、突出部分２ａの幅方向他端側までに押し当った後、幅方向反対側に抜けるように移動する。これにより、本構成を有さない場合と比較して、積層体の突出部分２ａが突き当たる場合に空隙Ｓが形成され易くなる。
積層体の後端が押当部１７２の移動経路上よりも搬送方向下流側に搬送された後、押当部１７２は、初期位置（位置Ａ（図２参照））に戻る。
【００８８】
押当部１７２は、突出部分２ａの一部ずつをこするようにして幅方向一端から他端まで移動する。このように押当部１７２は、突出部分２ａに幅方向に対して比較的狭い範囲に力を作用しながら移動するようになっている。このため、本構成を有さない場合と比較して、薄膜部材２と押当たる際に要する荷重が軽減される。
例えば、突出部分２ａに一部ずつ押当たりながら幅方向全体に移動する場合、突出部分２ａに幅方向全体で同時に押当たる場合と比較して、押当てに要する荷重が軽減される。
【００８９】
次に、剥離装置２０における剥離動作について説明する。
図５は、剥離装置２０における剥離動作の模式図を示す。なお図５は、基体４の上面及び下面両側に薄膜部材２が圧着されている場合を例示する。
【００９０】
図５（ａ）に示すように、積層体が第一の回転部材１８２よりも搬送方向上流側にある場合、第一の回転部材１８２及び第四の回転部材１８８は、積層体を搬送方向下流側へ搬送する方向（正回転）に回転駆動する状態（以下、「正回転状態Ｄ」と称する場合がある）となる。この際、第二の回転部材１８４及び第三の回転部材１８６は、外力に従って自由に回転する（ニュートラル）状態（以下「自由回転状態Ｎ」と称する場合がある）となっている。
【００９１】
図５（ｂ）に示すように、積層体の先端が第一の回転部材１８２を通過した後、押当部１７２は移動を開始する。押当部１７２が積層体の搬送経路上へ移動すると、押当部材１７２ａが突出部分２ａに押当たる。
これにより積層体は、この後、突出部分２ａが突き当たることで生じる空隙Ｓが形成され易くなる。
【００９２】
図５（ｃ）に示すように、突出部分２ａに押当部１７２が押当たった後、第二の回転部材１８４は回転しないように固定した状態（以下、「固定状態Ｂ」と称する場合がある）となる。そして、第二の回転部材１８４に突出部分２ａが突き当たる。
【００９３】
図５（ｄ）に示すように、突出部分２ａが第二の回転部材１８４に突き当たった後、この第二の回転部材１８４は正回転状態Ｄとなる。これにより、積層体に形成された空隙Ｓが後端側に移動される。
【００９４】
図５（ｅ）に示すように、積層体が第三の回転部材１８６に搬送される際、第三の回転部材１８６は、正回転状態Ｄとなる。これにより、積層体の先端が第三の回転部材１８６にかみ込まれる。
【００９５】
図５（ｆ）に示すように、第三の回転部材１８６が基体４の先端をかみ込んだ後、第三の回転部材１８６は固定状態Ｂとなる。この際、積層体の後端は、第二の回転部材１８４により搬送された状態にある。
このため、基体４は搬送方向下流側に搬送され、薄膜部材２は第三の回転部材１８６に引っかかる状態となる。これにより、基体４と薄膜部材２とが剥がれ始める。
また、積層体が押当部１７２の移動経路よりも搬送方向下流側に搬送された後、この押当部１７２は、初期位置へ戻るように移動する。
【００９６】
図５（ｇ）に示すように、薄膜部材２の剥がれた基体４の先端部分が第四の回転部材１８８に搬送されると、第二の回転部材１８４は正回転とは反対方向に回転する逆回転状態Ｒとなり、次の手順で薄膜部材２の先端が第四の回転部材１８８にかみ込まれない程度、薄膜部材２を搬送方向とは逆方向（搬送方向上流側）に引き戻す。
【００９７】
図５（ｈ）に示すように、第二の回転部材１８４は固定状態Ｂとなり、また、第三の回転部材１８６は自由状態Ｎとなるとともにニップ解除部材１９１によってニップが解除される。
これにより、基体４は第四の回転部材１８８の回転に従って搬送され、薄膜部材２は、第２の回転部材１８４に引っかかった状態となる。
ここで、第三の回転部材１８６に替えて第二の回転部材１８４を固定状態Ｂとすることで、すなわち第二の回転部材１８４によって薄膜部材２を停止させるようにすることで、本構成を有さない場合と比較して、薄膜部材２と基体４とが擦れ合う範囲が低減される。
【００９８】
図５（ｉ）に示すように、さらに第四の回転部材１８８を回転させると、基体４と薄膜部材２とが分離し、基体４のみが基体排出部１６４方向へ搬送される。
基体４が基体排出部１６４方向へ搬送された後、排出切替部１６２は、搬送方向を薄膜部材排出部１６６方向とするように移動する。
【００９９】
図５（ｊ）に示すように、基体４が基体排出部１６４方向へ搬送された後、第二の回転部材１８４は自由回転状態Ｎとなり、第三の回転部材１８６はニップが復帰し、正回転状態Ｄとなる。
これにより、薄膜部材２は二枚が重なった状態で、第三の回転部材１８６及び第四の回転部材１８８の回転に従って薄膜部材排出部１６６方向へ搬送される。
このようにして、積層体から薄膜部材２が剥離された後、この薄膜部材２と基体４とは分離して搬送される。
【０１００】
回転部１７０を構成する回転部材の数やそれぞれの間隔は、目的に応じて適宜設定・変更することができる。
【符号の説明】
【０１０１】
２    薄膜部材
２ａ    突出部分
４    基体
１０    記録体作成装置
１２    画像形成装置
１４    丁合装置
１６    情報書き込み装置
１８    圧着転写装置
２０    剥離装置
２２    画像形成部
３２    転写装置
１０４    丁合部
１２０    位置決め部
１２２    仮留部
１３２    識別情報読取部
１３４    情報書き込み部
１３６    情報判定部
１４６    圧着部
１４８    冷却部
１６０    剥離搬送路
１６２    排出切替部
１６４    基体排出部
１６６    薄膜部材排出部
１７０    回転部
１７２    押当部
１８２    第一の回転部材
１８４    第二の回転部材
１８６    第三の回転部材
１８８    第四の回転部材
１９０    駆動制御部
１９１    ニップ解除部材
Ｓ    空隙
【図１】
0005907366.tif 000002
【図２】
0005907366.tif 000003
【図３】
0005907366.tif 000004
【図４】
0005907366.tif 000005
【図５】
0005907366.tif 000006